(57)【要約】  【課題】  一枚シートあるいは棒でできた現在開示されている着脱自在の栞は、目印のページが変わるたびに、取り外しと装着を繰り返すことになる。またシートに穴を設けてしおり紐をその穴に取り付けたものは、シートに紐を取り付ける作業が大変に手間であり、しおりの製造コストが高くる。【解決手段】  栞Ａは、用紙差し替え式ノートＢの用紙綴じ具４に綴じるための綴じ部２をシート基材１に一つ以上設けると共に、用紙綴じ具４に綴じたシート基材１の用紙綴じ具４に近い側縁から用紙綴じ具４に綴じる用紙６の天地長さよりも長い一つ以上の目印部３を形成している。  【選択図】  図３
2008290251.tif 000002
【特許請求の範囲】
【請求項１】
用紙差し替え式ノート（Ｂ）の用紙綴じ具（４）に綴じるための綴じ部（２）をシート基材（１）に一つ以上設けると共に、用紙綴じ具（４）に綴じたシート基材（１）の用紙綴じ具（４）に近い側縁に、用紙綴じ具（４）に綴じる用紙（６）の天地長さよりも長い一つ以上の目印部（３）が形成されている栞（Ａ）。
【請求項２】
用紙差し替え式ノート（Ｂ）の用紙綴じ具（４）に綴じるための穴（２ａ）をシート基材（１）に一つ以上設けると共に、用紙綴じ具（４）に綴じたシート基材（１）の用紙綴じ具（４）に近い側縁に、用紙綴じ具（４）に綴じる用紙（６）の天地長さよりも長い一つ以上の目印部（３）が形成されている栞（Ａ）。
【請求項３】
用紙差し替え式ノート（Ｂ）の用紙綴じ具（４）に綴じるための係止部（２ｂ）をシート基材（１）に一つ以上設けると共に、用紙綴じ具（４）に綴じたシート基材（１）の用紙綴じ具（４）に近い側縁に、用紙綴じ具（４）に綴じる用紙（６）の天地長さよりも長い一つ以上の目印部（３）が形成されている栞（Ａ）。
【請求項４】
シート基材（１）の片面の一部あるいは片面の全部に粘着剤（５）を設けたことを特徴とする請求項１または請求項２または請求項３記載の栞（Ａ）。
【発明の詳細な説明】
【技術分野】
【０００１】
本発明は、用紙を差し替えて使用するシステム手帳などのバインダの用紙綴じ具に取り付けて、開く必要のある閉じたページを開く場合にすぐに開くことのできる栞に関するものである。
【背景技術】
【０００２】
システム手帳などの用紙を差し替えて使用するノートなどで、必要なページを簡単にすぐに開けるようにするための物で、必要なページがある度にそのページに着脱して使用する物としては、一枚のシートあるいは棒状物でできた着脱自在式の物が従来から多数開示されている。（例えば、特許文献１・特許文献２・特許文献３・特許文献４などである。）
また、バインダに適合した穴をシートに設けて更にそのシートにしおり紐を付けた物などが開示されている。（例えば、特許文献５・特許文献６・特許文献７などである。）
【特許文献１】実開  昭５８−０５５９７７号公報
【特許文献２】実開  平１−１５３２６３号公報
【特許文献３】実開  平３−１０１６６５号公報
【特許文献４】特開  平８−２５８３７号公報
【特許文献５】実開  昭５６−１２５３６２号公報
【特許文献６】実開  昭６４−４２１７０号公報
【特許文献７】実開  平６−６７０６１号公報
【発明の開示】
【発明が解決しようとする課題】
【０００３】
特許文献１・特許文献２・特許文献３・特許文献４によるこれら着脱自在の物は、一枚シートあるいは棒でできているので製造コストは低い。ところがこれらの着脱自在なものを使用する場合には、目印としたいページが変わるたびに、取り外しと装着を繰り返すことになり、大変にめんどうである。
また特許文献５・特許文献６・特許文献７のものは、シートに穴を設けてしおり紐をその穴に取り付けたものである。これらのものを作る場合には、使用するのに適切な長さにしおり紐を切断した後にその紐を穴に通し紐を取り付けなければならない。シートに紐を取り付ける作業は大変に手間であり時間がかかるために、しおりの製造コストが高くなってしまう。
【０００４】
本発明は、前述の課題に着目してなされたもので、用紙差し替え式の手帳やバインダノート等に使用する栞であって、構造が簡易で製作コストが低く、さらに必要ページがある度に手帳やノートの用紙綴じ具に栞を着脱することなく使用できる使い勝手のよい栞を提供することにある。
【課題を解決するための手段】
【０００５】
請求項１に記載の栞（Ａ）は、用紙差し替え式ノート（Ｂ）の用紙綴じ具（４）に綴じるための綴じ部（２）をシート基材（１）に一つ以上設けると共に、用紙綴じ具（４）に綴じたシート基材（１）の用紙綴じ具（４）に近い側縁に、用紙綴じ具（４）に綴じる用紙（６）の天地長さよりも長い一つ以上の目印部（３）が形成されている。
請求項２に記載の栞（Ａ）は、用紙差し替え式ノート（Ｂ）の用紙綴じ具（４）に綴じるための穴（２ａ）をシート基材（１）に一つ以上設けると共に、用紙綴じ具（４）に綴じたシート基材（１）の用紙綴じ具（４）に近い側縁に、用紙綴じ具（４）に綴じる用紙（６）の天地長さよりも長い一つ以上の目印部（３）が形成されている。
請求項３に記載の栞（Ａ）は、用紙差し替え式ノート（Ｂ）の用紙綴じ具（４）に綴じるための係止部（２ｂ）をシート基材（１）に一つ以上設けると共に、用紙綴じ具（４）に綴じたシート基材（１）の用紙綴じ具（４）に近い側縁に、用紙綴じ具（４）に綴じる用紙（６）の天地長さよりも長い一つ以上の目印部（３）が形成されている。
請求項４に記載の栞（Ａ）は、請求項１または請求項２または請求項３記載の栞（Ａ）におけるシート基材（１）の片面の一部あるいは片面の全部に粘着剤（５）を設けている。
【発明の効果】
【０００６】
請求項１に記載の栞（Ａ）は、柔らかいシートを抜き打ち切断して作成できるので製造コストが安くなると共に、シート基材（１）は用紙綴じ具（４）に取り付けた状態で目印部（３）だけを移動して使うので、目印としたいページが変わる度に栞（Ａ）の取り外しと装着を繰り返すことなく使用できる。また、シート基材（１）には広告などが記述できる。
請求項２に記載の栞（Ａ）は、請求項１の利点の他に、さらに、綴じ部（２）として穴（２ａ）を設けているので、穴（２ａ）を用紙綴じ具（４）に取り付けることで使用時に栞（Ａ）が落ちることが無くなる。
請求項３に記載の栞（Ａ）は、請求項１に記載の効果の他に、用紙綴じ具（４）に綴じるための係止部（２ｂ）を綴じ部（２）としているので、閉じた状態の用紙綴じ具（４）に着脱できる。
請求項４に記載の栞（Ａ）は、請求項１に記載の効果の他に、シート基材（１）に粘着剤（５）を設けているので、用紙綴じ具（４）などがないノートや手帳などの表紙の裏などに張り付けることができる。
【発明を実施するための最良の形態】
【０００７】
本発明の実施例を以下に図面で説明するが、それら図面に限定されるものではない。
【実施例１】
【０００８】
実施例１を、図１・図２・図３に基づいて説明する。
図１は実施例１のものの斜視図である。栞（Ａ）は、柔らかなプラスチックシートを抜き打ちカットして作成した物である。シート基材（１）は、横に短く縦に長い矩形であって、用紙綴じ具（４）に綴じる用紙（６）とほぼ同じ大きさである。シート基材（１）の縦に長い一側縁近傍には用紙綴じ具（４）に綴じるための穴（２ａ）を６個設けている。更に、用紙綴じ具（４）にシート基材（１）を綴じたときに、シート基材（１）における横に短い矩形の用紙綴じ具（４）近傍の一側縁から、用紙綴じ具（４）に綴じる用紙（６）の天地長さよりも長い一つの棒状の目印部（３）が６個の用紙綴じ具（４）列と平行に突出して形成されている。
図２は、実施例１の物の栞（Ａ）を用紙差し替え式ノート（Ｂ）に綴じた状態を示す斜視図であって、用紙（６）の一番上に置いて綴じてある。
図３は、実施例１のものの栞（Ａ）の目印部（３）が用紙（６）の間に挟まれた状態を示す斜視図である。目印部（３）の先端部分が用紙（６）の下側縁部分から突き出しているので、この目印部（３）の先端部分を摘んでそのページを開くことができる。
【実施例２】
【０００９】
図４は、実施例２のものの斜視図である。
栞（Ａ）は、実施例１と同様に柔らかなプラスチックシートを抜き打ちカットして作成した物である。シート基材（１）の大きさと形状は実施例１の物と同じであって、シート基材（１）の左側縁近傍にある用紙綴じ具（４）に綴じるための穴（２ａ）を２個設けている。さらにその穴（２ａ）には、用紙綴じ具（４）に綴じるための係止部（２ｂ）を切り込みで設けて、閉じた状態の用紙綴じ具（４）に着脱できるようになっている。更に用紙綴じ具（４）に納まるように幅広の溝（２ｃ）をこの二つの穴（２ａ）の間に４個設けている。そして、一つの目印部（３）が実施例１と同様な方向に設けられていて、用紙（６）の天地長さよりも長く延出している。そして目印部（３）が曲がりやすくかつノート類などを開いたときに目印部（３）がノート類から外れないようその目印部（３）のシート基板（１）近くには目印部（３）の長手方向に対して斜めに折線（７）を設けていて、シート基材（１）に最も近い折線（７）は右下がりにその他の折線（７）は右上がりとなっている。また目印部（３）の先端部分には摘み（８）を設けている。この折線（７）の数や位置や形状などは使いやすくなるように色々な物が考えられる。
さらに、シート基材（１）の片面に粘着剤（５）を設けて、用紙綴じ具（４）の付いていないノートなどにも取付ができるようになっている。
【実施例３】
【００１０】
図５は、実施例３のものの斜視図である。
栞（Ａ）は、実施例１と同様に柔らかなプラスチックシートを抜き打ちカットして作成した物である。シート基材（１）の形状は、実施例１のものに設けた６個の穴（２ａ）の内、目印部（３）に近い一つの穴（２ａ）を残して、後の５個の穴（２ａ）のある実施例１の矩形状シート基材（１）を一部削除した物となっている。また、シート基材（１）には名刺やメモなど薄い物か入れられるポケット（９）を設けている。その他は、実施例１と同じである。
【実施例４】
【００１１】
図６は、実施例４のものの斜視図である。
この実施例４は、実施例１と同様に柔らかなプラスチックシートを抜き打ちカットして作成した物である。この実施例４は、実施例１のものと、実施例１のものに対して左右対称な形状の物とを、穴（２ａ）に近い側縁で折線（１０）を介して連接した栞（Ａ）である。
この実施例４の使用方法は、折線（１０）を折り曲げてから、用紙綴じ具（４）に穴（２ａ）を通して使用する。折り曲げた状態の時に、二つの目印部（３）を僅かに横にずれた位置に設けてもよい。そうすることで目印部（３）が重なることがない。
【実施例５】
【００１２】
図７は、実施例５のものの斜視図である。
栞（Ａ）は、２枚のプラスチックシートを重ねて抜き打ちカットし、側縁部の一部を溶着したものである。溶着部分は溶着部（１１）として図７に示す。抜き打ちカットした２枚のシートにおける四つの側縁のうち目印部（３）を設けている一つの側縁は溶着せずにその他の三つの側縁が溶着されている。このようにすることでシート基材（１）は袋状となり、この袋状には小物が入れられる。また二つの目印部（３）が形成されているので、２箇所のページに目印ができるので便利である。
【実施例６】
【００１３】
図８は、実施例６のものの斜視図である。栞（Ａ）は、柔らかなプラスチックシートを抜き打ちカットして作成した物である。
シート基材（１）は、実施例１の物と同じであって、縦に長い一側縁近傍には用紙綴じ具（４）に綴じるための穴（２ａ）を６個設けている。更に、シート基材（１）の穴（２ａ）の設けている側の上側縁から突片（１２）が延出している。用紙綴じ具（４）にシート基材（１）を綴じると、この突片（１２）が用紙（６）から僅かに突き出た状態となりインデックスとしての役割を果たす。更に、シート基材（１）の突片（１２）の左側縁からは、一つの目印部（３）が、用紙綴じ具（４）に綴じられている用紙（６）の天地長さよりも長くシート基材（１）の用紙綴じ具（４）列近傍の側縁に対して略直角に延出している。
【００１４】
なお、本発明は前述した実施形態に限るものではなく、これらの栞の大きさ・形状・材料などは色々なものが可能である。例えば材料は、不織布・革・和紙・ゴム類などの柔軟な材質が適している。しかし、その他の材料であっても、栞として適していればよい。
実施例５の物などは、二枚で作っているが３枚で作ることで、表に一つと裏に一つの袋状ができるようにもすることができる。作り方も色々であって、シートをカッティングする方法とプラスチックの時には成型技術でも作成できる。またシートを折り曲げて作成し、一部分を溶着する方法もある。意匠として色々なデザインで作成する場合が考えられるので、目印部の延出角度も、栞としての機能が損なわれない程度であれば色々な方向にしてもよい。
【図面の簡単な説明】
【００１５】
【図１】実施例１の斜視図である。
【図２】実施例１の使用状態の斜視図である。
【図３】実施例１の使用状態の斜視図である。
【図４】実施例２の斜視図である。
【図５】実施例３の斜視図である。
【図６】実施例４の斜視図である。
【図７】実施例５の斜視図である。
【図８】実施例６の斜視図である。
【符号の説明】
【００１６】
Ａ      栞
Ｂ      用紙差し替え式ノート
１      シート基材
２      綴じ部
２ａ    穴
２ｂ    係止部
２ｃ    溝
３      目印部
４      用紙綴じ具
５      粘着剤
６      用紙
７      折線
８      摘み
９      ポケット
１０    折線
１１    溶着部
１２    突片
【図１】
2008290251.tif 000003
【図２】
2008290251.tif 000004
【図３】
2008290251.tif 000005
【図４】
2008290251.tif 000006
【図５】
2008290251.tif 000007
【図６】
2008290251.tif 000008
【図７】
2008290251.tif 000009
【図８】
2008290251.tif 000010